(57)【要約】      （修正有）【課題】容器において、より高いバリア性を得ることが容易となるバリア部材を提供する。【解決手段】開口部ＯＰを有する天蓋部１２を筒状の胴体部１１の前側に設けた容器本体１の内部に、前記開口部ＯＰを塞ぐように設けられるバリア部材２であって、前記天蓋部１２の内壁を覆う天蓋対応部２１と、前記天蓋対応部２１の外周から後方寄りへ延出し、前記胴体部１１の内壁の前端近傍を覆う延出部２２と、を有するバリア部材２とする。【選択図】図１
2019089582.tif 000002
【特許請求の範囲】
【請求項１】
開口部を有する天蓋部を筒状の胴体部の前側に設けた容器本体の内部に、前記開口部を塞ぐように設けられるバリア部材であって、
前記天蓋部の内壁を覆う天蓋対応部と、
前記天蓋対応部の外周から後方寄りへ延出し、前記胴体部の内壁の前端近傍を覆う延出部と、
を有することを特徴とするバリア部材。
【請求項２】
平坦な膜状体の外周近傍部分が後方へ折り曲がってなる請求項１に記載のバリア部材であって、
前記延出部は前記外周近傍部分により形成され、前記天蓋対応部は前記外周近傍部分の内側の部分により形成されていることを特徴とする請求項１に記載のバリア部材。
【請求項３】
請求項１または請求項２に記載のバリア部材および前記容器本体を有し、
前記天蓋対応部および前記延出部は、前記容器本体への固着がなされていることを特徴とする容器。
【請求項４】
流動物を収容する請求項３に記載の容器であって、
前記容器本体の後側を塞ぐようにプランジャーが可動に設けられ、
前記バリア部材が破られて前記開口部が開放された後、前記プランジャーによる押出しによって前記流動物が前記開口を介して放出されることを特徴とする容器。
【請求項５】
加熱による融着によって、前記固着を実現させることを特徴とする請求項３または請求項４に記載の容器の製造方法。
【請求項６】
前記天蓋部の内壁に一または複数個の凸部が設けられており、
前記バリア部材を前記凸部へ押し当てた状態において、前記加熱を行うことを特徴とする請求項５に記載の製造方法。
【請求項７】
前記凸部は、前記開口部を囲む輪状に形成されたことを特徴とする請求項６に記載の製造方法。
【請求項８】
樹脂により前記天蓋部と前記胴体部を一体成形して、前記容器本体を形成することを特徴とする請求項５から請求項７の何れかに記載の製造方法。
【請求項９】
前記バリア部材は導電層を有しており、
前記加熱は、前記導電層に電流を流す電磁誘導加熱であることを特徴とする請求項５から請求項８の何れかに記載の製造方法。
【発明の詳細な説明】
【技術分野】
【０００１】
本発明はバリア部材およびこれを用いた容器、ならびに当該容器の製造方法に関する。
【背景技術】
【０００２】
従来、コーキング材や接着剤等を収容する容器として、開口部を有する天蓋部を筒状の胴体部の端に設けたものが利用されている。このような容器では、収容物の品質保持等を図るため、内側にバリア部材として機能するメンブラン（天蓋部の開口部を塞ぐ膜状体）が設けられることが多い。例えば特許文献１〜３には、プランジャーによって収容物を押出し可能に形成されたカートリッジにおいて、メンブランを設けたものが開示されている。
【０００３】
メンブランを設けることにより、未開封状態においては開口部を密封して収容物の品質を良好に保持し得る一方、使用時にはメンブランを破ることにより開口部を開放させ、収容物を放出させることが可能となる。特にコーキング材や接着剤等は、水分や空気に触れると硬化したり品質が劣化したり易く、メンブランを用いて開口部を完全に封止して、バリア性（ガスや水分等の浸入を防ぐ性質）を確保することは非常に重要である。
【先行技術文献】
【特許文献】
【０００４】
【特許文献１】特許第4665951号公報
【特許文献２】特許第4919563号公報
【特許文献３】特表2015-500776号公報
【発明の概要】
【発明が解決しようとする課題】
【０００５】
メンブランを用いて容器のバリア性を確保するためには、メンブランで覆われる領域を十分にとることが有効である。しかしながら、従来の容器ではメンブランで覆われる領域は天蓋部の内壁に留まった形態となっており、比較的高いバリア性が要求されるような場合には、このような形態ではバリア性が不十分となる虞がある。
【０００６】
本発明は上述した問題点に鑑み、容器においてより高いバリア性を得ることが容易となるバリア部材およびこれを用いた容器、ならびに容器の製造方法の提供を目的とする。
【課題を解決するための手段】
【０００７】
本発明に係るバリア部材は、開口部を有する天蓋部を筒状の胴体部の前側に設けた容器本体の内部に、前記開口部を塞ぐように設けられるバリア部材であって、前記天蓋部の内壁を覆う天蓋対応部と、前記天蓋対応部の外周から後方寄りへ延出し、前記胴体部の内壁の前端近傍を覆う延出部と、を有する構成とする。
【０００８】
本構成によれば、容器においてより高いバリア性を得ることが容易となる。なおここでの前後方向は、筒状である胴体部の軸方向に一致するように便宜的に定めたものに過ぎず、胴体部から見て天蓋部の設けられる側を前側とする。
【０００９】
また、平坦な膜状体の外周近傍部分が後方へ折り曲がってなる上記構成のバリア部材において、前記延出部は前記外周近傍部分により形成され、前記天蓋対応部は前記外周近傍部分の内側の部分により形成されている構成としてもよい。本構成によれば、膜状体を用いてバリア部材を容易に形成することが可能となる。
【００１０】
また本発明に係る容器は、上記構成のバリア部材および前記容器本体を有し、前記天蓋対応部および前記延出部は、前記容器本体への固着がなされている構成とする。また、流動物を収容する上記構成の容器において、前記容器本体の後側を塞ぐようにプランジャーが可動に設けられ、前記バリア部材が破られて前記開口部が開放された後、前記プランジャーによる押出しによって前記流動物が前記開口を介して放出される構成としてもよい。
【００１１】
また本発明に係る製造方法は、加熱による融着によって、前記固着を実現させる製造方法とする。
【００１２】
また上記製造方法としてより具体的には、前記天蓋部の内壁に一または複数個の凸部が設けられており、前記バリア部材を前記凸部へ押し当てた状態において、前記加熱を行う製造方法としてもよい。本方法によれば、当該凸部の部分において特に確実かつ十分な融着を実現することが可能となる。
【００１３】
また上記製造方法としてより具体的には、前記凸部は、前記開口部を囲む輪状に形成された製造方法としてもよい。本方法によれば、少なくとも当該凸部の部分において確実な融着を実現することにより、容器本体を確実に密封することが出来る。また上記製造方法としてより具体的には、樹脂により前記天蓋部と前記胴体部を一体成形して、前記容器本体を形成する製造方法としてもよい。
【００１４】
また上記製造方法としてより具体的には、前記バリア部材は導電層を有しており、前記加熱は、前記導電層に電流を流す電磁誘導加熱である製造方法としてもよい。本方法によれば、バリア部材の全体を満遍なく効率良く加熱し得るとともに、容器本体の変形や変質等を極力抑えることが可能となる。
【発明の効果】
【００１５】
本発明に係るバリア部材によれば、容器においてより高いバリア性を得ることが容易となる。また本発明に係る容器および容器の製造方法によれば、本発明に係るバリア部材の利点を享受することが可能となる。
【図面の簡単な説明】
【００１６】
【図１】本実施形態に係るカートリッジ型容器ＣＴの構成図である。
【図２】カートリッジ型容器ＣＴのサンプル例を示す説明図である。
【図３】本実施形態に係るメンブラン２のサンプル例を示す説明図である。
【図４】カートリッジ型容器ＣＴの製造方法に関する説明図である。
【図５】本実施形態に係る容器本体１の後方視点による構成図である。
【図６】カートリッジ型容器ＣＴの製造方法に関する説明図である。
【図７】カートリッジ型容器ＣＴの製造方法に関する説明図である。
【発明を実施するための形態】
【００１７】
以下、本発明の実施形態について各図面を参照しながら説明する。なお本願では特に断りの無い限り、前後方向は筒状である胴体部の軸方向に一致し、胴体部から見て天蓋部の設けられる側を前側とする。
【００１８】
１．カートリッジ型容器の構成
図１は、本実施形態に係るカートリッジ型容器ＣＴの概略的な構成図である。なお図１（後述する図４、図６、および図７も同様）は、円筒状に形成された胴体部１１の中心軸を通る平面で切断した場合の、断面図として示されている。また図１では、後述する凸部１２ａ１については表示を省略している。図２は、カートリッジ型容器ＣＴのサンプルの一例を切断したものについて、メンブラン２周辺の様子を示している。これらの図に示すように、カートリッジ型容器ＣＴは、容器本体１、メンブラン２（本発明に係るバリア部材の一形態）、プランジャー３、およびバリアフィルム４を用いて形成され、コーキング材や接着剤といった流動物（収容物）を収容する容器として利用される。
【００１９】
容器本体１は、開口部ＯＰを有する天蓋部１２を、円筒状である胴体部１１の前側に設けた構成となっている。容器本体１において、天蓋部１２と胴体部１１は樹脂により一体成形されており、天蓋部１２と胴体部１１はシームレスに連接している。容器本体１を形成する樹脂としては、ポリエチレン等が好適である。また、例えば収容物を３３０ml程度収容する容器本体１のサイズは、全長が２００mm程度、外径が５０mm程度、および厚さが１mm程度に設定される。
【００２０】
天蓋部１２は、容器本体１のうちの胴体部１１を除く部分（図１に示す破線αより左側の部分）であり、前後方向を軸方向とする円板状部１２ａの中心部前側に、前方へ突出したノズル部１２ｂを設けた構成となっている。円板状部１２ａおよびノズル部１２ｂの前方視点による中心部には、前後方向に伸びた開口部ＯＰが形成されており、メンブラン２が破れた状態においては容器本体１の内部を外部へ連通させる。開口部ＯＰの径方向寸法は、胴体部１１の内径よりも十分に小さくなっている。円板状部１２ａの後側の面は、前後方向を法線とする平面となっている。
【００２１】
メンブラン２は、容器本体１の内部に開口部ＯＰを塞ぐように設けられる薄い膜状の部材であり、例えばポリエチレンテレフタレート（ＰＥＴ）のフィルム、ポリプロピレン（ＰＰ）のフィルム、アルミニウム箔、およびポリエチレン（ＰＥ）のフィルム等を積層して形成される。なおメンブラン２においては、少なくとも外側の表面（容器本体１の内壁に対向する表面）はポリエチレンの層で覆われている。図３は、本実施形態に係るメンブラン２のサンプルの一例を示している。
【００２２】
図１〜図３に示すように、メンブラン２は、天蓋部１２の内壁を覆う天蓋対応部２１と、天蓋対応部２１の外周から後方寄りへ延出し、胴体部１１の内壁の前端近傍を覆う延出部２２と、を有する。天蓋対応部２１の外縁形状や寸法は円板状部１２ａの後面に合うように設定されており、延出部２２の延出長さは例えば５mm程度に設定される。なお延出部２２の延出長さは、例えば３０mm以下を目安として任意の長さに設定され得る。
【００２３】
またメンブラン２は、外縁が円形の平坦な膜状体（先述したアルミニウム箔とポリエチレンとの積層体）の外周近傍部分が後方へ折り曲がってなり、延出部２２は当該外周近傍部分により形成され、天蓋対応部２１は当該外周近傍部分の内側の部分により形成される。これにより上記の膜状体を用いて、図３に示すような略カップ状のメンブラン２を容易に形成することが可能である。
【００２４】
プランジャー３は、有底円筒形状に形成された部材であり、例えばポリエチレンの本体にアルミニウムのバリア層を設けて形成され、外径が胴体部１１の内径と同等または僅かに大きく設定されている。プランジャー３は、有底側が前方を向くように胴体部１１の後側の開口端に嵌め込まれる。プランジャー３と胴体部１１の間には、摺動抵抗を下げてプランジャー３を滑らかに移動可能とするグリースが設けられている。このグリースは、プランジャー３と胴体部１１との隙間におけるガスや水分等の出入りを防止する役目も果たすことにより、高バリア性の潤滑剤として機能する。
【００２５】
バリアフィルム４は、胴体部１１の外側面を全体的に覆うように設けられており、例えば、アルミニウム箔をブラスチックフィルムで挟み込んだサンドイッチ構造の積層フィルムとして形成されている。メンブラン２およびバリアフィルム４は、上記のように薄い膜状でありながらもアルミニウム箔を積層しており、非常に高いバリア性を有している。少なくともバリアフィルム４は、胴体部１１の後端部から延出部２２の後端部寄りの位置と同一位置までを覆っている（すなわちプランジャー３の挿入箇所を除き、容器本体１内部がメンブラン２とバリアフィルム４の少なくとも一方によって完全に覆われた状態となっている）ことが望ましい。
【００２６】
カートリッジ型容器ＣＴは、未開封状態においては、メンブラン２によって開口部ＯＰを密封して収容物の品質を良好に保持し得る一方、使用時にはメンブラン２を破ることにより開口部ＯＰを開放させ、収容物を放出させることが可能となる。なお使用時には、カートリッジ型容器ＣＴを専用の器具（例えばハンドガン）にセットしておくことにより、使用者の簡易な操作でプランジャー３を前方へ移動させ、適量の収容物を容易に押し出すことが可能である。
【００２７】
また本実施形態のカートリッジ型容器ＣＴは、天蓋対応部２１および延出部２２を有するメンブラン２が用いられている。そして天蓋対応部２１は、天蓋部１２の内壁（円板状部１２ａの後面）に融着されており、この部分を覆っている。また延出部２２は、胴体部１１の内壁の前端近傍に融着されており、この部分を覆っている。
【００２８】
このようにメンブラン２は、天蓋部１２の内壁に留まらず、胴体部１１と天蓋部１２の境界に形成されるコーナー部１３（図１に示す断面において、胴体部１１と天蓋部１２が略直角をなすように接する部分）を介して胴体部１１の内壁の前端近傍に至る領域まで、容器本体１の内壁を連続的に覆って融着している。そのため本実施形態のカートリッジ型容器ＣＴは、メンブラン２が天蓋部１２の内壁だけを覆って融着していると仮定した場合に比べ、高いバリア性を得ることが可能となっている。なおこの点に関する検証結果（内容物保存試験の結果）については、改めて詳細に説明する。
【００２９】
また更に、メンブラン２が天蓋部１２の内壁だけを覆って融着していると仮定した場合に比べ、本実施形態では延出部２２での融着によってより広い融着面積を確保し得るとともに、応力集中等のため比較的バリア性が問題となり易いコーナー部１３をもメンブラン２が覆うため、これらの観点からもバリア性において有利となる。仮にコーナー部１３に丸み（Ｒ）等がついている場合には、メンブラン２がこの丸み全体を覆うようにすることが望ましい。
【００３０】
なお、天蓋部１２を胴体部１１へ回転融着（一方を他方へ高速回転させながら押し付けて行う融着）して容器本体１を形成したと仮定すると、その融着部分に相当するコーナー部１３は肉厚で凹凸のある状態となり、コーナー部１３を覆って適切にメンブラン２を設けることは容易ではない。しかし本実施形態では、容器本体１を一体成形により形成しているため、コーナー部１３は肉厚で凹凸のある状態とはならず、コーナー部１３を覆って適切にメンブラン２を設けることが容易となっている。
【００３１】
また本実施形態では、メンブラン２が天蓋部１２から胴体部１１の前端近傍に至る領域まで容器本体１の内壁を連続的に覆うことにより、バリア性の高いメンブラン２とバリアフィルム４の少なくとも一方が、後端を除く容器本体１の全ての箇所を内部または外部から覆う格好となる。このように本実施形態では、容器本体１の樹脂がむき出しとなる部分（内部と外部の何れからも覆われていない箇所）が無いため、バリア性の信頼性が高いものとなっている。
【００３２】
上述したとおり本実施形態に係るメンブラン２は、開口部ＯＰを有する天蓋部１２を筒状の胴体部１１の前側に設けた容器本体１の内部に、開口部ＯＰを塞ぐように設けられる。更にメンブラン２は、天蓋部１２の内壁を覆う天蓋対応部２１と、天蓋対応部２１の外周から後方寄りへ延出し、胴体部１１の内壁の前端近傍を覆う延出部２２とを有する。そのため先述のとおり、メンブラン２を用いることにより、カートリッジ型容器ＣＴにおいてより高いバリア性を得ることが容易となっている。
【００３３】
なお本実施形態に係るメンブランの効果等を検証するため、サンプルを用いた内容物保存試験を実施した。この点について以下に説明する。
【００３４】
＜試験条件＞
射出成形により成形した容器本体に、延出部の長さを変えたメンブランを融着させ、プランジャーを取付けるとともにバリアフィルムを外周面全体に設けることにより、本実施形態に係るカートリッジ型容器のサンプルを形成した。なお各部材の具体的な構成形態は次のとおりである。
（１）容器本体：全長216mm、外径50mm、厚さ1.15mmの高密度ポリエチレン製とした。
（２）メンブラン：ＰＥＴフィルム（厚さ12μm）、ＰＰフィルム（厚さ40μm）、アルミニウム箔（厚さ40μm）、およびＰＥフィルム（厚さ20μm）を積層して形成した。
（３）プランジャー：全長20ｍｍ、外径48ｍｍ、厚さ1ｍｍの高密度ポリエチレン製の有底円筒状部材の底面の後部側（容器の外部に面する側）にPEフィルム（厚さ25μｍ）、アルミ箔（厚さ40μｍ）を積層して形成した。
（４）バリアフィルム：ＰＥＴフィルム（厚さ12μm）、アルミニウム箔（厚さ9μm）、およびＰＥフィルム（厚さ25μm）を積層して形成した。
なお、メンブランについては、延出部の長さを0mm（つまり延出部を設けない形態）、3mm、7mm、および15mmとしたものをそれぞれ３個以上用意し、当該用意された各メンブランを用いて複数の容器を形成した。
【００３５】
上記のとおり形成された複数の容器に、内容物として異なる３種類のシーリング材をそれぞれ充填し、温度50℃、相対湿度90%の雰囲気中で保存し、１ヶ月後の内容物の状態を目視および触診観察を行った。なお、当該異なる３種類のシーリング材としては、湿気硬化型シリコーン系シーリング材（以下、「シリコーン系材」と略記する）、湿気硬化型変性シリコーン系シーリング材（以下、「変性シリコーン系材」と略記する）、および湿気硬化型ウレタン系シーリング材（以下、「ウレタン系材」と略記する）を適用した。
【００３６】
＜試験結果＞
表１に、上記の条件にて実施した内容物保存試験の結果の概要を示す。なお表１において、「○」は内容物の状態の変化が見られなかったことを示し、「△」は内容物の増粘が見られたことを示し、「×」は内容物の硬化が見られたことを示す。すなわち「△」および「×」は、内容物の状態に変化が生じたことを示している。
【表１】
2019089582.tif 000003
【００３７】
表１に示すとおり、延出部の長さが0mmのメンブラン、すなわち延出部を設けていないメンブランが採用された場合には、内容物が変性シリコーン系材の場合にはコーナー部近傍に増粘が見られ、ウレタン系材の場合にはコーナー部近傍に硬化が見られた。一方、延出部の長さが3mm以上については、何れの内容物についても状態の変化は見られなかった。以上の結果から、本実施形態のようにメンブランに延出部を設けることによって容器のバリア性が向上し、内容物の状態の変化が有効に抑制されることが確認された。
【００３８】
２．カートリッジ型容器の製造方法
次に、カートリッジ型容器ＣＴの製造方法について、図４〜図７を参照しながら説明する。
【００３９】
容器本体１が樹脂の一体成形によって予め形成された後、容器本体１内部にメンブラン２を挿入する工程が行われる。図４は、このときの様子を概略的に示している。メンブラン２は、挿入ジグＸの前端にセットされており、挿入ジグＸが後方から容器本体１内部へ挿入されることによって、容器本体１内部へ送られることになる。挿入ジグＸにセットされたメンブラン２の外径は、胴体部１１の内径とほぼ同等か僅かに小さくなっている程度であり、メンブラン２は胴体部１１の内壁に軽く擦れながら挿入される。なお、挿入ジグＸおよびメンブラン２は加熱しておく必要は無く、常温のままで挿入されるため、当該挿入の際に容器本体１の内壁を熱で傷めてしまうことは無い。
【００４０】
また図５は、容器本体１の後方視点による構成図である。図４および図５に示すように円板状部１２ａの後面には、それぞれ開口部ＯＰを囲む輪状に形成された３個の凸部１２ａ１が形成されている。これらの凸部１２ａ１は、何れも高さが１mm以下の僅かな凸部であり、それぞれ同じ高さとなっている。
【００４１】
容器本体１内部の奥までメンブラン２が挿入された後は、図６に示すように、挿入ジグＸによってメンブラン２が円板状部１２ａへ押圧された状態に保持される。このときメンブラン２の前面（天蓋対応部２１）は、円板状部１２ａの後面全体を覆っており、特に各凸部１２ａ１の部分に強く当たることになる。またメンブラン２の側面（延出部２２）は、胴体部１１の前端近傍を覆っている。なお、天蓋対応部２１と円板状部１２ａの間、および延出部２２と胴体部１１の間において、隙間は殆ど生じていない。
【００４２】
また、挿入ジグＸによってメンブラン２が円板状部１２ａへ押圧された状態において、図７に示すように、メンブラン２のアルミニウム箔（導電層の一形態）へ電流を流すことによる高周波誘導加熱（電磁誘導加熱の一形態）が行われる。この高周波誘導加熱は、容器本体１の外部に配置された高周波電源を用いて実施可能である。また直接的にはメンブラン２のアルミニウム箔を熱源と非接触で自己発熱させるため、メンブラン２の全体を満遍なく効率良く加熱し得るとともに、熱による容器本体１の変形や変質等を極力抑えることが可能である。なお、メンブラン２を適切に加熱し得る限り、高周波以外による電磁誘導加熱が行われるようにしても構わない。電磁誘導加熱の手法によれば、高速加熱や温度制御が容易であるとともに、取扱い清潔である点等において優れている。
【００４３】
このようにしてメンブラン２のアルミニウム箔が加熱されると、メンブラン２表面のポリエチレンの層と容器本体１の内壁にその熱が伝わり、これら双方が融着する。なおこの際にメンブラン２の前面（天蓋対応部２１）は、各凸部１２ａ１へより強く当たっているため、この部分において特に確実かつ十分な融着が実現される。
【００４４】
また、各凸部１２ａ１は開口部ＯＰを囲む輪状に形成されているため、少なくともこれらの部分が天蓋対応部２１へ十分に融着されていれば、容器本体１を確実に密封することが出来る。更に、天蓋対応部２１と各凸部１２ａ１部分の融着が進むにつれて、天蓋対応部２１と円板状部１２ａの距離が縮まり、天蓋対応部２１は円板状部１２ａの全体と融着する。
【００４５】
なお、円板状部１２ａの後面に設けられる凸部の個数や形状等は、上記のような形態には限られない。例えば当該凸部は、円板状部１２ａの後面全体にシボや凹凸を設けたような形態であっても構わない。また、円板状部１２ａの後面に凸部を設けないようにすることも可能である。
【００４６】
また図７に示す状態において、メンブラン２の側面（延出部２２）と胴体部１１の間に隙間は殆ど生じていないため、これら双方も融着することになる。なお、例えば挿入ジグＸの前端付近を径方向へ拡張可能に構成しておき、延出部２２を径方向外向きへ押圧できるようにしても良い。このようにすれば、図７に示す状態において延出部２２をこのように押圧しておき、延出部２２と胴体部１１をより確実かつ十分に融着することができる。メンブラン２を容器本体１へ融着した後は、挿入ジグＸを抜き取り、容器本体１へプランジャー３やバリアフィルム４等を取り付けてカートリッジ型容器ＣＴが完成する。
【００４７】
なお、メンブランを容器本体へ固着する手法としては、生産性や品質等を考慮すれば上述した高周波誘導加熱により融着する手法が好ましいが、他の手法を採用することも可能である。以下、他の手法の一例について説明する。
【００４８】
まず当該手法の例として、レーザーを照射することによりメンブラン２を加熱して、メンブラン２を容器本体１へ融着する手法が挙げられる。この手法は高周波誘導加熱に比べると、メンブラン２の全体を満遍なく加熱するために比較的多くの時間や手間がかかったり、加熱の不十分な箇所が生じたりし易くなる可能性があるが、メンブラン２を容器本体１へ固着することは可能である。
【００４９】
また他の例として、超音波を当てて振動を発生させることにより、メンブラン２を容器本体１へ固着する手法が挙げられる。この手法は多少の屑が発生する可能性があるが、メンブラン２を容器本体１へ固着することは可能である。
【００５０】
また更に他の例として、加熱した熱板を容器本体１内へ挿入し、この熱を用いてメンブラン２を容器本体１へ融着する手法が挙げられる。但しこの手法を採用する場合は、熱くなった熱板を容器本体１へ挿入する際に、これが胴体部１１の側壁へ直に接触しないようにすることが望ましい。例えば、熱板を胴体部１１の内径より十分に小さくして側壁へ接触しないように挿入可能にするとともに、挿入後は延出部２２を胴体部１１へ押し当てることができるように、当該熱板を拡張可能な割り型としておくことが望ましい。なお、メンブラン２を容器本体１へ融着する手法として、メンブラン２を容器本体１に接触させた状態においてメンブラン２の加熱を行うことにより当該融着を実現する手法の他、予め加熱したメンブラン２を容器本体１へ押し当てることにより当該融着を実現する手法（例えば、熱板の先端に配置したメンブラン２を当該熱板ごと容器本体１へ押し当てる手法や、後述のようにメンブラン２の一部をインサート成形する場合に、残りの部分を予め加熱して容器本体１へ押し当てる手法など）も採用され得る。また、容器本体１へ接触させたメンブラン２に熱板を接近させ、熱板の輻射熱等を利用して、当該熱板とメンブラン２が非接触の状態でメンブラン２が加熱されるようにしても良い。
【００５１】
なおメンブランをインサート成形する場合は、当該成形に用いる金型の構造の都合上、本実施形態のようなカップ状のメンブランを一度で容器本体１へ張り付けることは困難である。そこで、メンブランの延出部２２に相当する部分（リング状の部分）をインサート成形することにより容器本体１を形成しておき、その容器本体１へメンブランの天蓋対応部２１に相当する部分（平面状の部分）を熱板等を用いて張り付けることが考えられ、この手法により本実施形態に準じたものが得られる。また、容器本体１の射出成型に用いる金型の構造上、メンブラン２における開口部ＯＰに対応する部分（便宜的に「開口対応部」と称する）はインサート成形が困難であることに鑑み、メンブランのうちの開口対応部を除く部分（すなわち、天蓋対応部２１の外周寄りの部分と延出部２２からなる部分）をインサート成形することにより容器本体１を形成しておき、その容器本体１へ開口対応部を熱板等を用いて張り付けるようにしても良い。
【００５２】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００５３】
本発明は、例えばコーキング材や接着剤を収容する容器などに利用可能である。
【符号の説明】
【００５４】
１          容器本体
１１        胴体部
１２        天蓋部
１２ａ      ノズル部
１２ｂ      凸部
１３        コーナー部
２          メンブラン
２１        天蓋対応部
２２        延出部
３          プランジャー
４          バリアフィルム
ＣＴ        カートリッジ型容器
Ｘ          挿入ジグ
【図１】
2019089582.tif 000004
【図２】
2019089582.tif 000005
【図３】
2019089582.tif 000006
【図４】
2019089582.tif 000007
【図５】
2019089582.tif 000008
【図６】
2019089582.tif 000009
【図７】
2019089582.tif 000010